(57)【特許請求の範囲】
【請求項１】
冷気と冷水を造成して圧送する冷気冷水造成圧送部（Ａ）とその冷気と冷水により細氷粒を得て噴射する細氷粒噴射部（Ｂ）とから成り、前記冷水冷気造成部（Ａ）は、エア−を取り込んで圧送するコンプレッサ−（１）と、そのコンプレッサ−（１）から送気管（２）を介して圧送されたエア−を約５℃に冷却する第一の冷却機（３）と、その冷気を二股（４ａ），（４ｂ）に分岐する分岐管（４）を介してその一方側分岐管（４ａ）のエア−をさらに約−３０℃に冷却する第二の冷却機（５）と、この第二の冷却機（５）に至るよりも以前の送気路中に設けられたエア−を乾燥させるドライフィルタ（６）と、水を取入れて約５℃の冷水にして送水管（９）を介して圧送する冷水機（８）とから成り、前記細氷粒噴射部（Ｂ）は、前記送水管（９）と前記送気管（４ｂ）とが連結され、送気管（４ｂ）から送られる冷気の噴射エア−によって前記送水管（９）から送られる冷水を霧にする噴霧室（Ｆ）を有する噴霧部（１０）と、前記噴霧室（Ｆ）に連通し、前記送気管（７）が連結され、その送気管（７）から送られる冷気の吐出口（１３）が開口する結氷室（Ｈ）を有し、前記噴霧室（Ｆ）で噴霧された霧を前記冷気の吐出口（１３）から吐出する約−３０℃の冷気と接触させて瞬間結氷させる製氷部（１１）と、前記吐出口（１３）附近の結氷室（Ｈ）の空間に浮遊状態に配設され、前記製氷部（１１）の外部に設けたモ−タ（１４）により伝達手段（１５）を介して回転駆動される砕氷爪（１６）と、前記結氷室（Ｈ）の噴出口（１７）に連通し、結氷した細氷粒と約−３０℃の冷気とが混合状態に噴射されるノズル（１２）とを一体的に形成して成る細氷粒噴射美顔装置。
【請求項２】
冷気と冷水を造成して圧送する冷気冷水造成圧送部（Ｃ）とその冷気と冷水により細氷粒を得て噴射する細氷粒噴射部（Ｄ）とから成り、前記冷水冷気造成部（Ｃ）は、エア−を取り込んで圧送するコンプレッサ−（１）と、そのコンプレッサ−（１）から送気管（２）を介して圧送されたエア−を約５℃に冷却する第一の冷却機（３）と、その冷気を二股（４ａ），（４ｂ）に分岐する分岐管（４）を介してその一方側分岐管（４ａ）のエア−をさらに約−５℃に冷却する第二の冷却機（５）と、この第二の冷却機（５）に至るよりも以前の送気路中に設けられたエア−を乾燥させるドライフィルタ（６）と、水を取入れて約５℃の冷水にして送水管（９）を介して圧送する冷水機（８）とから成り、前記細氷粒噴射部（Ｄ）は、前記送水管（９）と前記送気管（４ｂ）とが連結され、送気管（４ｂ）から送られる冷気の噴射エア−によって前記送水管（９）から送られる冷水を霧にする噴霧室（Ｆ）を有する噴霧部（１０）と、前記噴霧室（Ｆ）に連通し、前記送気管（７）が連結され、その送気管（７）から送られる冷気の吐出口（１３）が開口する結氷室（Ｈ）を有し、前記噴霧室（Ｆ）で噴霧された霧を前記冷気の吐出口（１３）から吐出する約−５℃の冷気と接触させて瞬間結氷させる製氷部（１１）と、前記結氷室（Ｈ）の噴出口（１７）に連通し、結氷した細氷粒と冷水と約−５℃の冷気とが混合状態に噴射されるノズル（１２）とを一体的に形成して成る細氷粒噴射美顔装置。
【請求項３】
第一の冷却機（３）と第二の冷却機（５）が、循環冷媒液（２２），（２３）を冷却する冷却部（２４），（２５）と槽内の冷媒液（２６），（２７）内に冷気を圧送する冷気管（２８），（２９）と前記循環冷媒液（２２），（２３）を循環させる冷却管（３０），（３１）とを近接通管した熱交換部（３２），（３３）とから成る請求項１又は２記載の細氷粒噴射美顔装置。
【請求項４】
細氷粒噴射部（Ｂ），（Ｄ）の噴霧部（１０）が、二流体ノズル噴霧機構（１０ａ）から成る請求項１乃至３のうちいずれか一項記載の細氷粒噴射美顔装置。
【請求項５】
細氷粒噴射部（Ｂ），（Ｄ）に、手元操作スイッチ（１８）を付設して成る請求項１乃至４のうちいずれか一項に記載の細氷粒噴射美顔装置。
【請求項６】
細氷粒噴射部（Ｂ），（Ｄ）に、流量を調節する調節弁（１９）を設けて成る請求項１乃至５のうちいずれか一項に細氷粒噴射美顔装置。
【請求項７】
細氷粒噴射部（Ｂ），（Ｄ）を断熱材（２０）で被覆して成る請求項１乃至６のうちいずれか一項記載の細氷粒噴射美顔装置。
【請求項８】
製氷部（１１）の噴出口（１７）にノズル（１２）の着脱手段（２１）を設けて成る請求項１乃至７のうちいずれか一項記載の細氷粒噴射美顔装置。
【発明の詳細な説明】
【０００１】
【発明の属する技術分野】
本発明は、顔を冷却して顔肌を美しくするための美顔装置に関する。
【０００２】
【従来の技術】
人体の皮膚の一部を冷却すると他の周囲の体温よりも冷却部分の体温が上がって皮膚細胞が活性化することが知られている。
そこで、その原理を顔に利用すれば顔肌を美しくできるとの発想から美顔用の冷却装置が各種提案されている。
【０００３】
それらの冷却装置には、直接肌に冷却体を接触させるタイプと、肌に冷気を顔に噴き付けるタイプとがあり、また冷却する方法としては、液体ガス方式、電子的冷却方式、氷中通風冷却方式が提案されている。
例えば、特開昭６３−２５７５５６公報には前記電子的冷却方式であるベルチェ素子を用いて冷却し、冷却された冷却部を接触させるタイプと、冷却された空気を噴き付けるタイプの両方を備えた装置が示されている。
【０００４】
ベルチェ素子を使用する場合には、温度が低温域が５゜Ｃ〜１０゜Ｃ程度であり、最低でも５゜Ｃまでの低温を得られるに過ぎない。まして冷気噴付けタイプとする場合にはその程度の温度さえ得ることができない。
そのためこの程度の冷却では皮膚細胞の活性化効果があまり期待できない難点がある。そのために温熱部を４０゜Ｃ〜６０゜Ｃにしてその温度差を大きくして交互に使用して効果を高めようとする工夫がなされている。しかし、本来的には冷却温度によって細胞活性化効果がでるので、温度差の利用による効果もあまり期待できるものではない。
【０００５】
また前記液体ガス方式として、特開平４−２６５１４６公報を示すことができる。これには液体空気又は液体窒素を気化させ、−１８０゜Ｃという超低温の極めて冷たい空気を噴き付けることが可能な装置が提案されている。
そしてその使用可能な範囲は−１８０゜Ｃ〜−３０゜Ｃに設定できることが示されている。
この装置の場合、液体空気の入手が一般には容易ではない上に購入コストが高く、また管理面おいてに安全のために専門的知識が必要な欠点があり、また装置が大掛かりなものとなってしまう難点がある。
さらに、空気は超低温にして皮膚に噴き付けてもその超低温の冷気が瞬間的に空中に逃げてしまい皮膚に感じ取れる冷たさが乏しく、その冷たい感じが長続きしない欠点がある。
【０００６】
また、前記氷中通風冷却方式は、砕いた氷の粒の中にパイプを通し、パイプ中に空気を循環させて冷却させ、その冷却した空気を高速ジェットで噴き付けるものであり、冷却温度は氷の温度（０゜Ｃ程度）以下には下がらず皮膚刺激感が乏しい欠点がある。またこの装置も大掛かりなものとなってしまいまた経済性にも難点があった。
【０００７】
【発明が解決しようとする課題】
本発明は上記実情に鑑みてなされたもので、顔肌の皮膚細胞の活性化が期待できる低温刺激を、細氷粒又は細氷粒と冷水を顔面に付着させるとともに同時に低温又は超低温の冷気を吹き付けることによって本格的な冷却感が得られ、且つ手持ち部分が軽量且つコンパクトで扱い易い吹付け式の美顔装置を提供するものである。
【０００８】
【課題を解決するための手段】
上記課題を解決するために、本発明には、冷気と冷水により細氷粒を得てノズル１２から噴射するものであり、結氷した細氷粒と約−３０℃の冷気とを混合状態に噴射するもの（霧氷タイプ）と、結氷した細氷粒と冷水と約−５℃の冷気とを混合状態に噴射するもの（霙タイプ）との二種類のタイプがある。
【０００９】
霧氷タイプの装置は、冷気と冷水を造成して圧送する冷気冷水造成圧送部Ａとその冷気と冷水により細氷粒を得て細氷粒と約−３０℃の冷気とを噴射する細氷粒噴射部Ｂとから成る。
【００１０】
前記冷水冷気造成部Ａは、エア−を取り込んで圧送するコンプレッサ−１と、そのコンプレッサ−１から送気管２を介して圧送されたエア−を約５℃に冷却する第一の冷却機３と、その冷気を二股４ａ，４ｂに分岐する分岐管４を介してその一方側分岐管４ａのエア−をさらに約−３０℃に冷却する第二の冷却機５と、この第二の冷却機５に至るよりも以前の送気路中に設けられたエア−を乾燥させるドライフィルタ６と、水を取入れて約５℃の冷水にして送水管９を介して圧送する冷水機８とから成る。
【００１１】
前記細氷粒噴射部Ｂは、前記送水管９と前記送気管４ｂとが連結され、送気管４ｂから送られる冷気の噴射エア−によって前記送水管９から送られる冷水を霧にする噴霧室Ｆを有する噴霧部１０と、前記噴霧室Ｆに連通し、前記送気管７が連結され、その送気管７から送られる冷気の吐出口１３が開口する結氷室Ｈを有し、前記噴霧室Ｆで噴霧された霧を前記冷気の吐出口１３から吐出する約−３０℃の冷気と接触させて瞬間結氷させる製氷部１１と、前記吐出口１３附近の結氷室Ｈの空間に浮遊状態に配設され、前記製氷部１１の外部に設けたモ−タ１４により伝達手段１５を介して回転駆動される砕氷爪１６と、前記結氷室Ｈの噴出口１７に連通し、結氷した細氷粒と約−３０℃の冷気とが混合状態に噴射されるノズル１２とを一体的に形成して成るものである。
【００１２】
また、霙タイプの装置は、冷気と冷水を造成して圧送する冷気冷水造成圧送部Ｃとその冷気と冷水により細氷粒を得て細氷粒と冷水と約−５℃の冷気とを噴射する細氷粒噴射部Ｄとから成る。
【００１３】
前記冷水冷気造成部Ｃは、エア−を取り込んで圧送するコンプレッサ−１と、そのコンプレッサ−１から送気管２を介して圧送されたエア−を約５℃に冷却する第一の冷却機３と、その冷気を二股４ａ，４ｂに分岐する分岐管４を介してその一方側分岐管４ａのエア−をさらに約−５℃に冷却する第二の冷却機５と、この第二の冷却機５に至るよりも以前の送気路中に設けられたエア−を乾燥させるドライフィルタ６と、水を取入れて約５℃の冷水にして送水管９を介して圧送する冷水機８とから成る。
【００１４】
前記細氷粒噴射部Ｄは、前記送水管９と前記送気管４ｂとが連結され、送気管４ｂから送られる冷気の噴射エア−によって前記送水管９から送られる冷水を霧にする噴霧室Ｆを有する噴霧部１０と、前記噴霧室Ｆに連通し、前記送気管７が連結され、その送気管７から送られる冷気の吐出口１３が開口する結氷室Ｈを有し、前記噴霧室Ｆで噴霧された霧を前記冷気の吐出口１３から吐出する約−５℃の冷気と接触させて瞬間結氷させる製氷部１１と、前記結氷室Ｈの噴出口１７に連通し、結氷した細氷粒と冷水と約−５℃の冷気とが混合状態に噴射されるノズル１２とを一体的に形成して成るものである。
【００１５】
また、上記両タイプの各構成において、前記第一の冷却機３と第二の冷却機５が、循環冷媒液２２，２３を冷却する冷却部２４，２５と槽内の冷媒液２６，２７内に冷気を圧送する冷気管２８，２９と前記循環冷媒液２２，２３を循環させる冷却管３０，３１とを近接通管した熱交換部３２，３３とから成るものである。
【００１６】
さらに、上記各構成において、前記細氷粒噴射部Ｂ，Ｄの噴霧部１０が、二流体ノズル噴霧機構１０ａから成るものである。
【００１７】
さらにまた、上記各構成において、前記細氷粒噴射部Ｂ，Ｄに、手元操作スイッチ１８を付設して成るものである。
【００１８】
またさらに、上記各構成において、前記細氷粒噴射部Ｂ，Ｄに、流量を調節する調節弁１９を設けて成るものである。
【００１９】
また、上記各構成において、前記細氷粒噴射部Ｂ，Ｄを断熱材２０で被覆して成るものである。
【００２０】
さらに、上記各構成において、前記製氷部１１の噴出口１７に断熱材製のノズル１２の着脱手段２１を設けて成るものである。
【００２１】
【発明の実施の形態】
本発明は冷気と冷水により細氷粒を得てノズル１２から噴射するものであり、その実施の形態には、結氷した細氷粒と約−３０℃の冷気とを混合状態に噴射するもの（霧氷タイプ）と、結氷した細氷粒と冷水と約−５℃の冷気とを混合状態に噴射するもの（霙タイプ）との二種類のタイプがある。
それらの各実施の形態を以下図で説明する。
【００２２】
先ず、霧氷タイプの装置について説明すると、図１に示すように、冷気と冷水を造成して圧送する冷気冷水造成圧送部Ａと、図２及び図３に示すように、その冷気と冷水により細氷粒を得て噴射する細氷粒噴射部Ｂとから構成される。
【００２３】
前記冷水冷気造成部Ａは、図１に示すように、エア−を取り込んで圧送するコンプレッサ−１と、そのコンプレッサ−１から送気管２を介して圧送されたエア−を約５℃に冷却する第一の冷却機３と、その冷気を二股４ａ，４ｂに分岐する分岐管４を介してその一方側分岐管４ａのエア−をさらに約−３０℃に冷却する第二の冷却機５と、この第二の冷却機５と第一の冷却機３とを繋ぐ分岐管４の途中に設けられたエア−を乾燥させるドライフィルタ６と、水を取入れて約５℃の冷水にして送水管９を介して圧送する冷水機８とで構成する。
【００２４】
前記第一の冷却機３と第二の冷却機５は、図１に示すように、循環冷媒液２２，２３を冷却する冷却部２４，２５と槽内の冷媒液２６，２７内に冷気を圧送する冷気管２８，２９と前記循環冷媒液２２，２３を循環させる冷却管３０，３１とを近接通管した熱交換部３２，３３とから成る。
【００２５】
前記ドライフィルタ６によりエア−に含まれる水分を除去して、エア−を冷却しても結露が発生しないようにし、結露水が管内に溜まるのを防止する。
結露水が管内に溜まると、冷却能力が低下し、またその結露水の抜取り手段を設けなければならない。
【００２６】
前記細氷粒噴射部Ｂは、図２に示すように、全体がピストル状を成し、その銃筒部には噴霧室Ｆを有する噴霧部１０と、結氷室Ｈを有する製氷部１１が一体的に連結され、さらにその銃口部には、前記製氷部１１の噴出口１７にノズル１２が着脱可能に連結され、そのノズル１２の先端の噴射口１２ａの大小などの各種形態の断熱材製のノズル１２を交換使用できるようにする。
前記ノズル１２は発泡樹脂などの断熱材で形成する。しかし金属系などの熱伝導性の高い素材を用いると、その内壁表面に細氷粒が付着するので好ましくない。
【００２７】
そしてグリップ部３４の下端部には前記第二の冷却機５に接続された送気管７と前記第一の冷却機３に接続された送気管４ｂと前記冷水機８に接続された送水管９がそれぞれに連結される。
そのグリップ部３４の基端部には手元操作スイッチ１８（図中に回路配線を省略）が設けられる。この手元操作スイッチ１８によって、片手で握ったままでノズル１２からの噴射開始・停止の制御行なうことができる。
また銃筒の後部には、前記送気管４ｂからのエア−の流量を調節する調節弁１９を設ければ、噴射の強弱、細氷粒の大小などの調節を行なうことが可能である。
また、約−３０℃の冷気が流れるので、剥き出し状態で細氷粒噴射部Ｂを持つことはできないので、前記グリップ部３４と銃筒部部分の全体を断熱材２０で被覆する。
【００２８】
前記噴霧部１０は、図３に示すように、送気管４ｂから送られる冷気の噴射エア−によって前記送水管９から送られる冷水を霧にする噴霧室Ｆを有する二流体ノズル噴霧機構１０ａ方式で形成される。
前記製氷部１１は、同図３に示すように、前記噴霧室Ｆに連通し、前記送気管７が連結され、その送気管７から送られる冷気の吐出口１３が開口する結氷室Ｈを有し、前記噴霧室Ｆで噴霧された霧を前記冷気の吐出口１３から吐出する約−３０℃の冷気と接触させて瞬間結氷して細氷粒ができるようにする。
【００２９】
瞬間結氷させるためには前記第二の冷却機５における冷却温度は約−３０℃よりも低温でも可能ではあるが、さらに冷却温度を下げると電力消費も急増するので、その温度は不必要に下げることはない。
また、冷却温度を約−３０℃よりも高温にすると瞬間結氷させることが困難になる。
したがって、前記第二の冷却機５における冷却温度は約−３０℃（−２５〜−３５℃程度が好ましい。
そして、前記結氷室Ｈでの安定した瞬間結氷を得るために、噴霧室Ｆに噴霧される霧の温度も第一の冷却機３と冷水機８とによって約５℃に一定にしておく。この温度が高いと、第二の冷却機５での温度が約−３０℃では瞬間結氷が得にくくなる。
【００３０】
結氷室Ｈの吐出口１３には、放置すると直ちに細氷が付着し吐出口１３と吹出し口を塞いでしまう。この氷着を防止するために、回転砕氷爪１６による氷着防止手段を設ける。
その砕氷爪１６は、前記吐出口１３附近の結氷室Ｈの空間に浮遊状態に配設され、前記製氷部１１の外部に設けたモ−タ１４により結氷室Ｈの管壁に設けた貫通孔３５を貫通するフレキシブルワイヤ−３６による伝達手段１５を介して回転駆動される。
その砕氷爪１６の材質は、冷気の吐出口１３と結氷室Ｈの管壁を損傷しない樹脂製とすることが好ましい。
【００３１】
なお、上記図中、コンプレッサ−１の制御機構、冷気の量の制御を行なうために送気管や送水管等に設ける電磁弁などの各種制御弁、その各制御弁の開閉制御する各制御機構及び制御回路は省略した。
【００３２】
次に、霙タイプの装置について説明する。
このタイプの装置は、図１に示すように、冷気と冷水を造成して圧送する冷気冷水造成圧送部Ｃとその冷気と冷水により細氷粒を得て細氷粒と冷水と約−５℃の冷気とを噴射する細氷粒噴射部Ｄとから成る。
【００３３】
そして、前記冷水冷気造成部Ｃは、図１に示すように、エア−を取り込んで圧送するコンプレッサ−１と、そのコンプレッサ−１から送気管２を介して圧送されたエア−を約５℃に冷却する第一の冷却機３と、その冷気を二股４ａ，４ｂに分岐する分岐管４を介してその一方側分岐管４ａのエア−をさらに約−５℃に冷却する第二の冷却機５と、この第二の冷却機５に至るよりも以前の送気路中に設けられたエア−を乾燥させるドライフィルタ６と、水を取入れて約５℃の冷水にして送水管９を介して圧送する冷水機８とで構成する。
即ち、この前記冷水冷気造成部Ｃは、上記霧氷タイプの装置と殆ど同じ構成であるが、冷気冷水造成圧送部Ｃにおける第二の冷却機５の冷却設定温度が、霧氷タイプの装置では約−３０℃であって超低温であるのに対して、霙タイプの装置では約−５℃の低温である点が異なる。
【００３４】
そして、前記細氷粒噴射部Ｄについては、図１に示すように、前記送水管９と前記送気管４ｂとが連結され、送気管４ｂから送られる冷気の噴射エア−によって前記送水管９から送られる冷水を霧にする噴霧室Ｆを有する噴霧部１０と、前記噴霧室Ｆに連通し、前記送気管７が連結され、その送気管７から送られる冷気の吐出口１３が開口する結氷室Ｈを有し、前記噴霧室Ｆで噴霧された霧を前記冷気の吐出口１３から吐出する約−５℃の冷気と接触させて瞬間結氷させる製氷部１１と、前記結氷室Ｈの噴出口１７に連通し、結氷した細氷粒と冷水と約−５℃の冷気とが混合されて霙状態に噴射されるノズル１２とを一体的に形成する。
【００３５】
即ち、この前記細氷粒噴射部Ｄは、上記霧氷タイプの装置と似ている構成であるが、冷気冷水造成圧送部Ｃにおける第二の冷却機５の冷却設定温度が約−５℃である。
上記霧氷タイプの装置の細氷粒噴射部Ｂでは約−３０℃なので水の殆どが急激に凍って結氷室Ｈの吐出口１３に細氷が付着するが、この霙タイプの細氷粒噴射部Ｄでは吐出口１３から吐出する冷気が約−５℃なので水の一部が凍るだけで全部凍ることはない。このため結氷室Ｈの吐出口１３には細氷が付着するに至らず、このために霧氷タイプの装置と異なって氷着を防止するための回転砕氷爪１６を設けることは不要となる。
【００３６】
【使用方法】
使用方法は、冷気冷水造成圧送部Ａ，Ｃをセットし、細氷粒噴射部Ｂ，Ｄを持ってそのノズル１２の先端を顔肌に３〜１０ｃｍの至近距離に近づける。
上記霧氷タイプの装置では、手元操作スイッチ１８をオン、オフして前記霧氷タイプの装置では細氷粒噴射部Ｂのノズル１２から細氷粒と−３０℃の冷却エア−を顔肌に向けて噴出及びその停止を行なう。
その噴出する−３０℃の冷却エア−は、周囲の気温との混合により上昇して顔肌に達するまでにその距離（３〜１０ｃｍ）と使用する室内の気温（１５〜３０℃）に応じて−２０〜−５℃程度にまで上昇する。
したがって、顔肌に達する距離の調節で低温の程度を感じながら冷たさの調整を行なう。
【００３７】
また、上記霙タイプの装置では、手元操作スイッチ１８をオン、オフして前記霧氷タイプの装置では細氷粒噴射部Ｄのノズル１２から結氷した細氷粒と冷水と約−５℃の冷気とが混合されて霙状態に顔肌に向けて噴出及びその停止を行なう。
その噴出する−５℃の冷却エア−は、周囲の気温との混合により上昇して顔肌に達するまでにその距離（３〜１０ｃｍ）と使用する室内の気温（１５〜３０℃）に応じて約−０℃程度にまで上昇する。
【００３８】
その温度の冷気の温度でも充分冷たくはなるが、気体のみの場合では、直に周囲に拡散するので冷却感が長持ちしない。
上記霧氷タイプと霙タイプの各装置とも、同時に噴出される細氷粒が顔面に付着してその肌の体温ですぐに溶け、水滴となり肌を伝わって落下する。
このときの細氷粒が顔肌から溶解熱を奪うので大変冷たく感じられ、さらに顔肌に付着しているので、ノズル１２からの噴出を停止してもしばらくの間は冷却感が持続される。
【００３９】
【発明の作用並びに効果】
本発明は以上のようで、ドライフィルタ６を配することでエア−を−３０℃又は−５℃に冷却エア−したときの結露の発生がなくなり、結露水を排出するための機構は不要となる。
そして、霧氷タイプの装置では、噴霧部１０の噴霧室で約５℃のエア−と約５℃の冷水とで約５℃の霧を発生させて、さらに結氷室Ｈでその霧に約−３０℃の乾燥冷却エア−を吹掛けてこれまで作り出すことが不可能とされていた細氷粒を得ることが可能となった。
【００４０】
従来の装置による冷気のみの場合には超低温冷気としても気体なので刺激が少なく、冷たさも乏しい。しかし、本発明では、細氷粒と約−３０℃の冷気とが同時に顔に直接当り、細氷粒は体温で溶ける。そして溶けて濡れた皮膚にさらに細氷粒と冷気と吹掛かり体感温度を大きく低下させる。この本格的な冷感刺激を感覚神経が感じることにより脳神経を刺激し皮膚細胞が活性化する。
【００４１】
また、当った部分は細氷粒と冷気によるマツサ−ジを行なうことによって顔面皮膚の活性化をより高めることができる。
装置全体としてはコンプレッサ−１や冷却機を含めれば大きくなるが、常時使用部分は極めて簡潔な構造で極めてコンパクトなので、持ちやすく操作取扱も大変容易である。
【００４２】
また、霙タイプの装置では、噴霧部１０の噴霧室で約５℃のエア−と約５℃の冷水とで約５℃の霧を発生させて、さらに結氷室Ｈでその霧に約−５℃の乾燥冷却エア−を吹掛けて細氷粒が得られ、その細氷粒と結氷に至らない冷水と吹込まれた約−５℃の冷気とが混合されて霙状態でノズル１２から噴出され、上記霧氷タイプの装置と殆ど同様の効果が得られる。
【図面の簡単な説明】
【図１】本発明の冷気冷水造成圧送部Ａ，Ｃの模式的縦断側面図。
【図２】細氷粒噴射部Ｂ，Ｄの側面図。
【図３】細氷粒噴射部Ｂ，Ｄの模式的縦断側面図。
【図４】別の形態の細氷粒噴射部Ｂ，Ｄの模式的縦断側面図。
【符号の説明】
Ａ    冷気冷水造成圧送部
Ｂ    細氷粒噴射部
Ｃ    冷気冷水造成圧送部
Ｄ    細氷粒噴射部
Ｈ    結氷室
Ｆ    噴霧室
１    コンプレッサ−
２    送気管
３    第一の冷却機
４    二股分岐管
４ａ  二股分岐管の一方側
４ｂ  二股分岐管の他方側
５    第二の冷却機
６    ドライフィルタ
７    送気管
８    冷水機
９    送水管
１０    噴霧部
１０ａ  二流体ノズル噴霧機構
１１    製氷部
１２    ノズル
１３    吐出口
１４    モ−タ
１５    伝達手段
１６    砕氷爪
１７    結氷室の噴出口
１８    手元操作スイッチ
１９    調節弁
２０    断熱材
２１    ノズルの着脱手段
２２    循環冷媒液
２３    循環冷媒液
２４    冷却部
２５    冷却部
２６    槽内の冷媒液
２７    槽内の冷媒液
２８    冷気管
２９    冷気管
３０    冷却管
３１    冷却管
３２    熱交換部
３３    熱交換部
３４    グリップ部
３５    貫通孔
３６    フレキシブルワイヤ−
【図１】
0004148482.tif 000002
【図２】
0004148482.tif 000003
【図３】
0004148482.tif 000004
【図４】
0004148482.tif 000005